(57)【要約】      （修正有）【課題】照明器具の梱包又は輸送時における積載効率や輸送効率を向上した照明器具を提供する。【解決手段】光源を備える複数の照明ユニット１と、隣り合う照明ユニット１を連結する連結部２とを備え、複数の照明ユニット１と連結部２により多角形の環状が形成され、連結部２は、隣り合う照明ユニット１を連結する角度を制御できることを特徴とする照明器具１０が提供される。【選択図】図１
0003201453.tif 000002
【実用新案登録請求の範囲】
【請求項１】
光源を備える複数の照明ユニットと、  隣り合う前記照明ユニットを連結する連結部と、を備え、  前記複数の照明ユニットと前記連結部により多角形の環状が形成され、  前記連結部は、隣り合う前記照明ユニットを連結する角度を制御できることを特徴とする照明器具。
【請求項２】
それぞれの前記連結部において、隣り合う前記照明ユニットを連結する角度が略同一であることを特徴とする請求項１に記載の照明器具。
【請求項３】
隣り合う前記照明ユニットを連結する角度を制御することで、六角形以上の多角形の環状を矩形に変形できることを特徴とする請求項１または２に記載の照明器具。
【請求項４】
対向配置される前記照明ユニット間を橋渡すように配置されるアーム部をさらに備え、前記アーム部の一旦は、前記対向配置された前記照明ユニットと接続され、前記アーム部の他端は、前記アーム部を前記対向配置された前記照明ユニットに向かってスライドさせる開閉可能なヒンジと接続されたことを特徴とする請求項１から３のいずれか１項に記載の照明器具。   
【考案の詳細な説明】
【技術分野】
【０００１】
本考案は、主に天井面に設置される照明器具に関する。
【背景技術】
【０００２】
従来より、ＬＥＤ等を備える光源ユニットを環状に配置した照明器具が開発されている。例えば、特許文献１に示される照明器具は、各々の照明ユニットが環状に配置され、外形が八角形となる照明器具である。
【先行技術文献】
【特許文献】
【０００３】
【特許文献１】特開２０１３−８９５５７号公報
【考案の概要】
【考案が解決しようとする課題】
【０００４】
しかしながら、特許文献１に係る従来の照明器具は、八角形の環状で構成されているため、当該照明器具の梱包や輸送時に、荷姿が大きくなってしまうという問題があった。
【０００５】
本考案は、かかる問題点に鑑みてなされたものであり、形状が変化する照明器具であり、特に梱包または輸送時の荷姿を小さくすることを可能にした照明器具を提供することを目的とする。
【課題を解決するための手段】
【０００６】
上記の課題を解決するために、本考案は、以下に掲げる構成とした。すなわち、光源を備える複数の照明ユニットと、隣り合う前記照明ユニットを連結する連結部とを備え、前記複数の照明ユニットと前記連結部により多角形の環状が形成され、前記連結部は、隣り合う前記照明ユニットを連結する角度を制御できることを特徴とする照明器具が提供される。
【考案の効果】
【０００７】
本考案は以上のように構成されているので、照明器具の梱包又は輸送時における荷姿を小さくし、積載効率や輸送効率を向上できる。
【図面の簡単な説明】
【０００８】
【図１】本発明に係る照明器具の使用時における平面図である。
【図２】本発明に係る照明器具の使用時における側面図である。
【図３】本発明に係る照明器具の梱包又は輸送時における平面図である。
【図４】本発明に係る照明器具の梱包又は輸送時における側面図である。
【考案を実施するための形態】
【０００９】
以下、本考案の実施の形態について、詳細に説明する。但し、図面は模式的なものであり、寸法比などは現実のものとは異なることに留意すべきである。従って、具体的な寸法比などは以下の説明を参酌して判断すべきものである。又、図面相互間においても互いの寸法の関係や比率が異なる部分が含まれていることはもちろんである。
また、以下に示す実施の形態は、この発明の技術的思想を具体化するための例示であって、この発明の実施の形態は、構成部品の材質、形状、構造、配置等を下記のものに特定するものではない。この発明の実施の形態は、要旨を逸脱しない範囲内で種々変更して実施できる。
【００１０】
図１及び図２は、本実施の形態に係る照明器具を天井に固定した使用時の例を示している。なお、図２は、図１の側面図である。  図３及び図４は、本実施の形態に係る照明器具の梱包又は輸送時の例を示している。なお、図４は、図３の側面図である。
【００１１】
図１及び図２に示すように、本発明に係る照明器具１０は、複数の照明ユニット１のそれぞれの両端部を連結部２で連結し、全体の形状が多角形の環状（図１においては八角形）となるよう構成している。連結部２は、複数の照明ユニット１の端部同士を連結する機能を有し、互いに連結される照明ユニット１によって形成される角度を制御することができる。本実施例では全体で八角形を構成しているため、互いに連結される照明ユニット１によって形成される角度は、それぞれの連結部２において、おおよそ４５°である。
【００１２】
照明ユニット１は、例えば直管型であり、ＬＥＤ（発光ダイオード）を光源として用いている。光源は、ＬＥＤに限られず、他の光源でも良い。支持体３は、対向して配置された照明ユニット１間を橋渡すように配置される。支持体３は、開閉可能なヒンジ４と、その一端がヒンジ４に連結され、対向する照明ユニット１の長手方向側面部にその他端が接続されるアーム部を備えている。図２において、例えばこのヒンジ４にフックなどを引っ掛けて照明器具１０を天井面に固定することができる。
【００１３】
図３及び図４は、照明器具１０の形状を長方形（矩形）に変化させた場合を示す。直角部を形成するため、４つの連結部２において、互いに連結される照明ユニット１で形成される角度は直角となっている。他の連結部２においては、互いに連結される照明ユニット１は直線状に連結している。図３においては、支持体３と平行に支持体３の上下にそれぞれ３つの照明ユニット１が直線状に連結部２によって連結されている。そして、全体として長方形（矩形）の形状となっている。
【００１４】
図２では、ヒンジ４は立った状態（ヒンジ４が閉じた状態）であるが、図４では、ヒンジ４は比較的平らな状態（ヒンジ４が開いた状態）である。ヒンジ４が閉じた状態から開いた状態となる際、図４に示す通り、外側に向かって開いた格好となるため、ヒンジ４に連結されているアーム部４も図４の矢印方向にスライドする。照明器具１０の使用時にヒンジ４が立った状態と梱包又は輸送時におけるヒンジ４が平らな状態では、ヒンジ４が開いた分だけ支持体３の長さが延びる。すなわち、図１に示す距離Ｌ１よりも図３に示す距離Ｌ３のほうが、ヒンジ４が開いた分だけ長くなる。つまり、支持体３は、アーム部５をスライドさせることで、照明器具１０が八角形から長方形に変形する際に、形状の変化に伴い延伸する機能を持っている。この支持体３の延伸機能により、照明器具１０が八角形の場合及び長方形の場合の両方において、照明器具１０の強度を確保することができる。
【００１５】
照明器具の梱包には、一般的に直方体の形状をした梱包箱を用いる。そのため、照明器具１０が八角形の状態で梱包箱に収容するよりも、照明器具１０を長方形にして収容する方が、より小さな梱包箱で収容することができる。また、使用時には立った状態で使用するヒンジ４を梱包時には寝かせた状態にできるため、照明器具１０の高さ方向の距離も小さくできる。そのため、より小さな梱包箱で収容可能となり、梱包効率及び積載効率を向上できる。
【００１６】
本実施の形態においては、照明器具１０の使用時は八角形である場合を例にして説明したが、照明器具１０は六角形や、八角形を超える多角形であっても本考案を適用できる。
【符号の説明】
【００１７】
１・・・照明ユニット２・・・連結部３・・・支持体４・・・ヒンジ５・・・アーム部１０・・・照明器具    
【図１】
0003201453.tif 000003
【図２】
0003201453.tif 000004
【図３】
0003201453.tif 000005
【図４】
0003201453.tif 000006